(57)【特許請求の範囲】
【請求項１】
表面側に投入口が配置され、裏面側に前記投入口から投入された現金の収納部が配置された扉と、
前記扉の一端部を覆うカバー部と、
を備える写真撮影装置において、
前記カバー部は、前記扉の表面側に配置されるカバー枠と、当該カバー枠に挿通されるカバー板とを備え、
前記カバー枠は、前記扉の端部側にカバー板用開口部が形成され、
前記カバー板は、前記カバー板用開口部から前記カバー枠の内部に挿通されていることを特徴とする写真撮影装置。
【請求項２】
表面側に投入口が配置され、裏面側に前記投入口から投入された現金の収納部が配置された扉と、
前記扉の一端部付近に配置された扉開閉用錠と、
前記扉開閉用錠を覆うカバー部と、
を備える写真撮影装置において、
前記カバー部は、前記扉開閉用錠を囲むように扉の表面側に配置されるカバー枠と、当該カバー枠に挿通されるカバー板とを備え、
前記カバー枠は、前記扉開閉用錠の前側に鍵挿入用開口部が形成されると共に前記扉の端部側にカバー板用開口部が形成され、
前記カバー板は、前記カバー板用開口部から前記カバー枠の内部に挿通されて前記鍵挿入用開口部を塞ぐようになっていることを特徴とする写真撮影装置。
【請求項３】
前記カバー板は、前記扉の端部に近接する壁に形成されたカバー板貫通穴を貫通した後に前記カバー板用開口部から前記カバー枠の内部に挿通されるようになっていることを特徴とする請求項１又は２に記載の写真撮影装置。
【請求項４】
前記カバー板貫通穴周辺の壁に壁側嵌合部が形成されると共に前記カバー板の端部にカバー板側嵌合部が形成され、
前記壁側嵌合部と前記カバー板側嵌合部とが嵌合することで前記カバー板と前記カバー枠とが係止されるようになっていることを特徴とする請求項３に記載の写真撮影装置。
【請求項５】
前記壁側嵌合部と前記カバー板側嵌合部とが嵌合した状態で両者を固定するカバー板固定用錠を備えることを特徴とする請求項４に記載の写真撮影装置。
【請求項６】
前記カバー板は、前記扉の端部に近接する壁に形成されたカバー板貫通穴を貫通した後に前記カバー板用開口部から前記カバー枠の内部に挿通されるようになっており、
前記カバー板貫通穴周辺の壁に壁側嵌合部が形成されると共に前記カバー板の端部にカバー板側嵌合部が形成され、
前記壁側嵌合部と前記カバー板側嵌合部とが嵌合することで前記カバー板と前記カバー枠とが係止されるようになっており、
前記壁側嵌合部と前記カバー板側嵌合部とが嵌合した状態で両者を固定するカバー板固定用錠を備え、
前記扉開閉用錠の鍵と前記カバー板固定用錠の鍵とが共通のものであることを特徴とする請求項２に記載の写真撮影装置。
【請求項７】
前記カバー枠の内部に、挿通された前記カバー板をガイドするガイド部が形成されていることを特徴とする請求項１〜６のいずれか一項に記載の写真撮影装置。
【発明の詳細な説明】
【技術分野】
【０００１】
本発明は、写真撮影装置に係り、特に、料金徴収可能とした写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドにしたがって顧客自ら撮影操作を行うことにより、簡単かつ短時間でプリント写真を得ることができる（特許文献１参照）。
【０００３】
図９は、従来の写真撮影装置の概略構成を示す説明図である。この図９に示すように写真撮影装置１００はボックス型に形成されていて、その外壁にはプリントされた写真を取り出すための取出口１０１が設けられている。また、写真撮影装置１００のボックス内部には、顧客Ｍが座れるように椅子１０２が回転可能に設置されている。なお、椅子１０２は回転により昇降可能に構成されている。また、椅子１０２に顧客Ｍが座った際の当該顧客Ｍの上方、前方、後方には、それぞれ証明用のストロボ１０３が設置されている。さらに顧客Ｍの前方には、操作手順やその他の撮影に関する操作を行うための操作画面、撮影画面等を表示する表示部１０４、操作を指示するための操作部１０５が設けられている。また、写真撮影装置１００の入口には、写真撮影を行う際に外部の光を遮断するための遮光カーテン１０９が設けられている。
【０００４】
表示部１０４の下方には、撮影料金を精算するための投入口１０６が表面側に配置された扉１０７が設けられている。扉１０７は奥側の軸（図９における扉１０７の右側端部）を中心に右開きで開閉自在に支持されている。この扉１０７の裏面側には、投入口１０６から投入された現金を収納する収納部（図示省略）が固定されており、扉１０７を開くことで収納部に貯まった料金を回収できるようになっている。また、扉１０７の手前側（図９における扉１０７の左側）の端部付近には、扉の開閉を規制する扉開閉用錠１１０が形成されている。そして、通常時は扉開閉用錠１１０は施錠されていて、扉１０７が開かないようになっており、現金を回収する際に作業者が扉開閉用錠１１０を解錠して扉１０７を開き、収納部に収納された現金を回収するようになっている。
【特許文献１】特開２００５−１３４８０１号公報
【発明の開示】
【発明が解決しようとする課題】
【０００５】
ところが、前述したようなボックス型の写真撮影装置１００であると、人が入って入口の遮光カーテン１０９が閉じられてしまえば内部の状況が外部からは分かりにくいために、犯罪者により電動工具やバール等で扉開閉用錠１１０が破壊されて扉１０７が開けられ、収納部から現金が盗まれたとしても、盗難後に発覚する場合が多い。このため、扉開閉用錠１１０が破壊され難いようにしたり、扉開閉用錠１１０を破壊する際にその破壊する様子が目立つようにしたりして、扉１０７の中の現金を防御できる防犯性が望まれている。
【０００６】
本発明の課題は、犯罪者が扉開閉用錠を破壊し難い状態にすることができ、収納部内の現金における防犯性を高めることができる写真撮影装置を提供することである。
【課題を解決するための手段】
【０００７】
請求項１に記載の発明は、
表面側に投入口が配置され、裏面側に前記投入口から投入された現金の収納部が配置された扉と、
前記扉の一端部を覆うカバー部と、
を備える写真撮影装置において、
前記カバー部は、前記扉の表面側に配置されるカバー枠と、当該カバー枠に挿通されるカバー板とを備え、
前記カバー枠は、前記扉の端部側にカバー板用開口部が形成され、
前記カバー板は、前記カバー板用開口部から前記カバー枠の内部に挿通されていることを特徴としている。
【０００８】
請求項１に記載の発明によれば、写真撮影装置において、表面側に投入口が配置され、裏面側に投入口から投入された現金の収納部が配置された扉と、扉の一端部を覆うカバー部とを備えるため、扉の一端部に設けられる扉開閉用錠をカバー部により表面に露出させずに覆い隠すことができる。これにより、犯罪者が、現金の収納部が配置された扉を開けるために扉開閉用錠を破壊しようとする際には、まず、カバー部を破壊したり取り外したりしなければならず、扉を開けるために必要な作業が多くなり、犯罪に要する時間が増えることになる。その結果、収納部から現金が盗まれる前に犯罪が行われていることに気付き易くなり、盗難を未然に防ぐことができる。また、このような防犯対策を講じた装置は、犯罪者が犯罪行為を行うことを敬遠するため、犯罪行為自体が行われないようにすることもできる。
また、カバー部は、扉の表面側に配置されるカバー枠と、当該カバー枠に挿通されるカバー板とを備え、カバー枠は、扉の端部側にカバー板用開口部が形成され、カバー板は、カバー板用開口部からカバー枠の内部に挿通されているため、カバー枠とカバー板との組み合わせにより、扉の一端部に設けられる扉開閉用錠を確実に覆い隠すことができる。また、カバー枠からカバー板を取り外せば、カバー枠を扉の表面側に配置したままで扉開閉用錠の解錠及び施錠を行うことができるため、作業者が現金回収作業やメンテナンス作業などを行う際に、特別な作業を行わなくても簡単に扉を開けることができる。
【０００９】
請求項２に記載の発明は、
表面側に投入口が配置され、裏面側に前記投入口から投入された現金の収納部が配置された扉と、
前記扉の一端部付近に配置された扉開閉用錠と、
前記扉開閉用錠を覆うカバー部と、
を備える写真撮影装置において、
前記カバー部は、前記扉開閉用錠を囲むように扉の表面側に配置されるカバー枠と、当該カバー枠に挿通されるカバー板とを備え、
前記カバー枠は、前記扉開閉用錠の前側に鍵挿入用開口部が形成されると共に前記扉の端部側にカバー板用開口部が形成され、
前記カバー板は、前記カバー板用開口部から前記カバー枠の内部に挿通されて前記鍵挿入用開口部を塞ぐようになっていることを特徴としている。
【００１０】
請求項２に記載の発明によれば、表面側に投入口が配置され、裏面側に前記投入口から投入された現金の収納部が配置された扉と、扉の一端部付近に配置された扉開閉用錠と、扉開閉用錠を覆うカバー部とを備えるため、カバー部により扉開閉用錠を表面に露出させずに覆い隠すことができる。これにより、犯罪者が、現金の収納部が配置された扉を開けるために扉開閉用錠を破壊しようとする際には、まず、カバー部を破壊したり取り外したりしなければならず、扉を開けるために必要な作業が多くなり、犯罪に要する時間が増えることになる。その結果、収納部から現金が盗まれる前に犯罪が行われていることに気付き易くなり、盗難を未然に防ぐことができる。また、このような防犯対策を講じた装置は、犯罪者が犯罪行為を行うことを敬遠するため、犯罪行為自体が行われないようにすることもできる。
また、カバー部は、扉開閉用錠を囲むように扉の表面側に配置されるカバー枠と、当該カバー枠に挿通されるカバー板とを備え、カバー枠は、扉開閉用錠の前側に鍵挿入用開口部が形成されると共に扉の端部側にカバー板用開口部が形成され、カバー板は、カバー板用開口部からカバー枠の内部に挿通されて鍵挿入用開口部を塞ぐようになっているため、カバー枠とカバー板との組み合わせにより確実に扉開閉用錠を覆い隠すことができる。また、カバー枠からカバー板を取り外せば、カバー枠を扉の表面側に配置したままで鍵挿入用開口部を介して扉開閉用錠の解錠及び施錠を行うことができるため、作業者が現金回収作業やメンテナンス作業などを行う際に、特別な作業を行わなくても簡単に扉を開けることができる。
【００１１】
請求項３に記載の発明は、請求項１又は２に記載の写真撮影装置において、
前記カバー板は、前記扉の端部に近接する壁に形成されたカバー板貫通穴を貫通した後に前記カバー板用開口部から前記カバー枠の内部に挿通されるようになっていることを特徴としている。
【００１２】
請求項３に記載の発明によれば、カバー板は、扉の端部に近接する壁に形成されたカバー板貫通穴を貫通した後にカバー板用開口部からカバー枠の内部に挿通されるようになっているため、カバー板が装置の壁とカバー枠の両方から支持、係合されることとなる。これにより、カバー板がカバー枠にのみ挿通されている場合よりも、犯罪者がカバー板を取り外したり破壊したりし難くすることができる。
【００１３】
請求項４に記載の発明は、請求項３に記載の写真撮影装置において、
前記カバー板貫通穴周辺の壁に壁側嵌合部が形成されると共に前記カバー板の端部にカバー板側嵌合部が形成され、
前記壁側嵌合部と前記カバー板側嵌合部とが嵌合することで前記カバー板と前記カバー枠とが係止されるようになっていることを特徴としている。
【００１４】
請求項４に記載の発明によれば、カバー板貫通穴周辺の壁に壁側嵌合部が形成されると共にカバー板の端部にカバー板側嵌合部が形成され、壁側嵌合部とカバー板側嵌合部とが嵌合することでカバー板とカバー枠とが係止されるようになっているため、カバー板貫通穴及びカバー枠に挿通されたカバー板を確実に係止することができる。また、カバー板貫通穴は写真撮影装置の外側の壁に形成される構成となるため、雨水等がカバー板貫通穴を介して機械類の配置されている扉の裏面側に浸入する可能性があるが、壁側嵌合部とカバー板側嵌合部とが嵌合することで、カバー板貫通穴を密閉することができ、扉の裏面側に対する防水性も確保することができる。
【００１５】
請求項５に記載の発明は、請求項４に記載の写真撮影装置において、
前記壁側嵌合部と前記カバー板側嵌合部とが嵌合した状態で両者を固定するカバー板固定用錠を備えることを特徴としている。
【００１６】
請求項５に記載の発明によれば、壁側嵌合部とカバー板側嵌合部とが嵌合した状態で両者を固定するカバー板固定用錠を備えるため、カバー板貫通穴及びカバー枠に挿通されたカバー板をより確実に係止することができる。また、カバー板固定用錠を備えることにより、犯罪者が扉開閉用錠を破壊又は取り外すために、まず、当該カバー板固定用錠を破壊又は取り外す必要があり、扉を開けるために必要な作業がより多くなり、犯罪に要する時間がさらに増えることになる。また、壁側嵌合部とカバー板側嵌合部とが嵌合し施錠されるカバー板固定用錠を備える位置は写真撮影装置の外側の壁になるため、犯罪者がカバー板固定用錠を破壊したり取り外したりするためには、目立ち易い外側で犯罪行為に係る作業を行う必要があり、収納部から現金が盗まれる前に犯罪が行われていることにより気付き易くなる。また、より犯罪者が犯罪行為を行うことを敬遠する写真撮影装置とすることができる。
【００１７】
請求項６に記載の発明は、請求項２に記載の写真撮影装置において、
前記カバー板は、前記扉の端部に近接する壁に形成されたカバー板貫通穴を貫通した後に前記カバー板用開口部から前記カバー枠の内部に挿通されるようになっており、
前記カバー板貫通穴周辺の壁に壁側嵌合部が形成されると共に前記カバー板の端部にカバー板側嵌合部が形成され、
前記壁側嵌合部と前記カバー板側嵌合部とが嵌合することで前記カバー板と前記カバー枠とが係止されるようになっており、
前記壁側嵌合部と前記カバー板側嵌合部とが嵌合した状態で両者を固定するカバー板固定用錠を備え、
前記扉開閉用錠の鍵と前記カバー板固定用錠の鍵とが共通のものであることを特徴としている。
【００１８】
請求項６に記載の発明によれば、扉開閉用錠の鍵とカバー板固定用錠の鍵とが共通のものであるため、作業者が現金回収作業やメンテナンス作業などを行う際に鍵をいくつも持たなくても良くなり、現金回収作業やメンテナンス作業などの作業性を向上させることができる。
【００１９】
請求項７に記載の発明は、請求項１〜６のいずれか一項に記載の写真撮影装置において、
前記カバー枠の内部に、挿通された前記カバー板をガイドするガイド部が形成されていることを特徴としている。
【００２０】
請求項７に記載の発明によれば、カバー枠の内部に、挿通されたカバー板をガイドするガイド部が形成されているため、カバー板をカバー枠に挿通する際の作業性を向上させることができる。また、カバー板がガイドされていると、ガイドされていない場合と比較して、カバー板とカバー枠との係合がより強固となり、犯罪者がカバー板を破壊したり取り外したりすることをより困難にさせることができる。
【発明の効果】
【００２１】
本発明によれば、犯罪者が扉開閉用錠を破壊し難い状態にすることができ、収納部内の現金における防犯性を高めることができる。
【発明を実施するための最良の形態】
【００２２】
以下、本実施形態における写真撮影装置について図を参照して説明する。なお、本実施形態の写真撮影装置について、前記した従来の写真撮影装置１００と同一の部分においては同一符号を付してその説明を省略する。
【００２３】
図１は、本実施形態の写真撮影装置１の概略構成を示す図である。扉１０７の手前側（図１における扉１０７の左側）の端部付近には、扉の開閉を規制する扉開閉用錠１１０が形成されている。さらに、図２に示すように、扉開閉用錠１１０の周辺には扉開閉用錠１１０を覆うカバー部１０が形成されている。なお、本実施形態の扉１０７は、閉じた状態のときに手前側（図１の左側）の壁（外壁）２に扉１０７の左側面が隠れるように構成されている。これにより、犯罪者が扉１０７と、当接する壁との隙間にバールなどを挿入して扉を破壊する行為をし難くさせるようになっている。
前記カバー部１０は、図３及び図４に示すようなカバー板２０と、図５及び図６に示すようなカバー枠３０とを備えている。
【００２４】
カバー板２０は、扉開閉用錠１１０の前側を覆う略板状の本体板２３と、本体板２３の端部に平面視略Ｌ字状に突出したカバー板側嵌合部２１とを備えている。
本体板２３は、後述する写真撮影装置１の扉１０７の端部に近接する外側の壁２に形成されたカバー板貫通穴４を貫通した後にカバー枠３０のカバー板用開口部３２に挿通されて、壁２及びカバー枠３０を備える扉１０７に係止されるものである。
また、カバー板側嵌合部２１は、図４に示すように、裏面側からみると、略箱型形状となっており、後述する壁側嵌合部３に内嵌する大きさ及び形状とされている。また、カバー板側嵌合部２１の所定位置には、後述する壁側嵌合部３と嵌合した状態で両者を固定するカバー板固定用錠２２を備えている。さらに、本実施形態では、扉開閉用錠１１０の鍵Ｋとカバー板固定用錠２２の鍵Ｋとが共通の鍵Ｋを使用するように、各錠１１０，２２の内部構造を一致させた構成となっている。なお、本実施形態では、カバー板２０の裏面側の所定位置に、本体板２３をカバー板貫通穴４に貫通させた際に、所定の挿入限度位置で止めるためのストッパ（図示省略）が形成されている。ストッパとしては、例えば、本体板２３の裏面側又はカバー板側嵌合部２１の側面の裏面側から突出した棒状部材、板状部材、突起物などが挙げられる。また、本実施形態では、扉開閉用錠１１０及びカバー板固定用錠２２としては、各々Ｌ字アーム形状の錠を使用しているが、これに限るものではなく、適宜の錠を用いればよい。
【００２５】
カバー枠３０は、図５に示すように、略直方体形状の部材であり、扉開閉用錠１１０を囲むように扉の表面側に配置されている。カバー枠３０には、扉開閉用錠１１０の前側に形成された当該扉開閉用錠１１０に鍵Ｋを挿入するための鍵挿入用開口部３１と、扉の端部（左側面）側に形成された、カバー板２０の本体板２３をカバー枠３０の内部に挿通するためのカバー板用開口部３２とを有している。
鍵挿入用開口部３１は、少なくとも扉開閉用錠１１０に鍵Ｋが差し込めるだけの大きさ及び形状を有する開口部であり、本実施形態では、略方形状の開口部となっている。なお、鍵挿入用開口部３１は、略方形状に限るものではなく、鍵Ｋが差し込める形状であれば、円形等の他の形状であっても良い。
カバー板用開口部３２は、図６に示すように、カバー板２０の本体板２３をカバー枠３０の内部に挿通できるような大きさ及び形状を有する開口部である。また、カバー枠３０の内部には、カバー板用開口部３２から挿通されたカバー板２０をガイドするガイド部３３が形成されている。本実施形態では、ガイド部３３として、鍵挿入用開口部３１側の内部空間が扉１０７側の内部空間よりも拡がるように上下方向に段差が設けられてガイド溝を形成している。そして、カバー板２０の本体板２３の上下方向の幅は、このガイド部（ガイド溝）３３にちょうど挿通可能な大きさとなっており、ガイド部３３に挿通されるようにカバー板用開口部３２から本体板２３を挿通することで、カバー板２０の本体板２３をがたつきなくカバー枠３０の内部に挿通することができる。また、扉１０７を閉じた際に、カバー板用開口部３２におけるガイド部３３が形成された部位が、後述する扉１０７の端部（左側面）に近接する壁２に形成されたカバー板貫通穴４と重なるようになっており、カバー板２０の本体板２３が、カバー板貫通穴４を貫通した後にカバー板用開口部３２からカバー枠の内部のガイド部３３に挿通されるようになっている。このような構成により、確実にカバー板２０の本体板２３がカバー枠３０の鍵挿入用開口部３１を塞ぐようにされている。
【００２６】
また、図５に示すように、写真撮影装置１の外側の壁２において、扉１０７を閉じた際にカバー枠３０のカバー板用開口部３２のガイド部３３が形成された部位と重なる位置には、カバー板２０の本体板２３が貫通可能な程度の大きさ及び形状のカバー板貫通穴４が形成されている。本実施形態では、ちょうど貫通可能な程度の大きさのスリット状のカバー板貫通穴４が形成されている。さらに、カバー板貫通穴４周辺の壁２には、カバー板２０のカバー板側嵌合部２１に嵌合する大きさ及び形状の壁側嵌合部３が形成されている。本実施形態では、壁側嵌合部３は、カバー板側嵌合部２１に外嵌する大きさの略箱型形状の部材で構成されている。そして、カバー板２０の本体板２３をカバー板貫通穴４に貫通させてさらにカバー枠３０のカバー板用開口部３２からガイド部３３に沿ってカバー枠３０の内部に挿通させて、本体板２３がカバー枠３０の鍵挿入用開口部３１を覆い隠す状態となる程度に奥側まで挿通されたときに、カバー板側嵌合部２１が壁側嵌合部３に内嵌するように構成されている。このように、壁側嵌合部３とカバー板側嵌合部２１とが嵌合することで、カバー板２０とカバー枠３０とが係止されるようになっている。また、壁２の壁側嵌合部３の内側におけるカバー板固定用錠２２と対応する所定位置には、カバー板固定用錠２２のＬ字アームを挿入して錠として嵌合部３，２１同士を固定する、穴付の板状部材５が形成されている。
【００２７】
次に、本実施形態の作用について説明する。
前記したような構成において、写真撮影装置１の扉１０７の施錠を行う際には、まず、扉１０７を閉じ、扉開閉用錠１１０を鍵Ｋで施錠する。それから、カバー板２０の本体板２３を、壁２に形成されたカバー板貫通穴４に貫通させ、さらに、カバー枠３０のカバー板用開口部３２からカバー枠３０の内部のガイド部３３に挿通させる。そして、本体板２３がカバー枠３０の鍵挿入用開口部３１を覆い隠す状態となる程度に奥側まで挿通されると、カバー板側嵌合部２１が壁側嵌合部３に内嵌する。その後、カバー板側嵌合部２１と壁側嵌合部３とが嵌合した状態で、カバー板固定用錠２２を扉開閉用錠１１０用と同じ鍵Ｋで施錠して両者を固定する。このようにして、図２に示すように、カバー部１０で扉開閉用錠１１０を覆い隠した施錠状態とすることができる。
【００２８】
一方、写真撮影装置１の扉１０７の解錠を行う際には、まず、カバー板固定用錠２２を鍵Ｋで解錠した後、壁側嵌合部３と嵌合状態のカバー板側嵌合部２１を持って、図７に示すように、カバー板２０の本体板２３をカバー枠３０及び壁２のカバー板貫通穴４から引き抜く。その後、カバー板２０がなくなって開口した鍵挿入用開口部３１から、カバー板固定用錠２２で使用した鍵Ｋを扉開閉用錠１１０に挿入して扉開閉用錠１１０を解錠し、図８に示すように、扉１０７を開き、現金回収作業やメンテナンス作業などを行う。
【００２９】
以上のように、本実施形態の写真撮影装置によれば、表面側に投入口が配置され、裏面側に投入口から投入された現金の収納部が配置された扉と、扉の一端部付近に配置された扉開閉用錠と、扉開閉用錠を覆うカバー部とを備えるため、カバー部により扉開閉用錠を表面に露出させずに覆い隠すことができる。これにより、犯罪者が、現金の収納部が配置された扉を開けるために扉開閉用錠を破壊しようとする際には、まず、カバー部を破壊したり取り外したりしなければならず、扉を開けるために必要な作業が多くなり、犯罪に要する時間が増えることになる。その結果、収納部から現金が盗まれる前に犯罪が行われていることに気付き易くなり、盗難を未然に防ぐことができる。また、このような防犯対策を講じた装置は、犯罪者が犯罪行為を行うことを敬遠するため、犯罪行為自体が行われないようにすることもできる。
【００３０】
また、本実施形態では、カバー部は、扉開閉用錠を囲むように扉の表面側に配置されるカバー枠と、当該カバー枠に挿通されるカバー板とを備え、カバー枠は、扉開閉用錠の前側に鍵挿入用開口部が形成されると共に扉の端部側にカバー板用開口部が形成され、カバー板は、カバー板用開口部からカバー枠の内部に挿通されて鍵挿入用開口部を塞ぐようになっているため、カバー枠とカバー板との組み合わせにより確実に扉開閉用錠を覆い隠すことができる。また、カバー枠からカバー板を取り外せば、カバー枠を扉の表面側に配置したままで鍵挿入用開口部を介して扉開閉用錠の解錠及び施錠を行うことができるため、作業者が現金回収作業やメンテナンス作業などを行う際に、特別な作業を行わなくても簡単に扉を開けることができる。
【００３１】
さらに、本実施形態では、カバー板は、扉の端部に近接する壁に形成されたカバー板貫通穴を貫通した後にカバー板用開口部からカバー枠の内部に挿通されるようになっているため、カバー板が装置の壁とカバー枠の両方から支持、係合されることとなる。これにより、カバー板がカバー枠にのみ挿通されている場合よりも、犯罪者がカバー板を取り外したり破壊したりし難くすることができる。
【００３２】
またさらに、本実施形態では、カバー板貫通穴周辺の壁に壁側嵌合部が形成されると共にカバー板の端部にカバー板側嵌合部が形成され、壁側嵌合部とカバー板側嵌合部とが嵌合することでカバー板とカバー枠とが係止されるようになっているため、カバー板貫通穴及びカバー枠に挿通されたカバー板を確実に係止することができる。また、カバー板貫通穴は写真撮影装置の外側の壁に形成される構成となるため、雨水等がカバー板貫通穴を介して機械類の配置されている扉の裏面側に浸入する可能性があるが、壁側嵌合部とカバー板側嵌合部とが嵌合することで、カバー板貫通穴を密閉することができ、扉の裏面側に対する防水性も確保することができる。
【００３３】
また、本実施形態では、壁側嵌合部とカバー板側嵌合部とが嵌合した状態で両者を固定するカバー板固定用錠を備えるため、カバー板貫通穴及びカバー枠に挿通されたカバー板をより確実に係止することができる。また、カバー板固定用錠を備えることにより、犯罪者が扉開閉用錠を破壊又は取り外すために、まず、当該カバー板固定用錠を破壊又は取り外す必要があり、扉を開けるために必要な作業がより多くなり、犯罪に要する時間がさらに増えることになる。また、壁側嵌合部とカバー板側嵌合部とが嵌合し施錠されるカバー板固定用錠を備える位置は写真撮影装置の外側の壁になるため、犯罪者がカバー板固定用錠を破壊したり取り外したりするためには、目立ち易い外側で犯罪行為に係る作業を行う必要があり、収納部から現金が盗まれる前に犯罪が行われていることにより気付き易くなる。また、より犯罪者が犯罪行為を行うことを敬遠する写真撮影装置とすることができる。
【００３４】
さらに、本実施形態では、扉開閉用錠の鍵とカバー板固定用錠の鍵とが共通のものであるため、作業者が現金回収作業やメンテナンス作業などを行う際に鍵をいくつも持たなくても良くなり、現金回収作業やメンテナンス作業などの作業性を向上させることができる。
【００３５】
またさらに、本実施形態では、カバー枠の内部に、挿通されたカバー板をガイドするガイド部が形成されているため、カバー板をカバー枠に挿通する際の作業性を向上させることができる。また、カバー板がガイドされていると、ガイドされていない場合と比較して、カバー板とカバー枠との係合がより強固となり、犯罪者がカバー板を破壊したり取り外したりすることをより困難にさせることができる。
【００３６】
これらのことから、犯罪者が扉開閉用錠を破壊し難い状態にすることができ、収納部内の現金における防犯性を高めることができる。
【００３７】
なお、本発明は前記実施の形態に限らず適宜変更可能であるのは勿論である。
【図面の簡単な説明】
【００３８】
【図１】本実施形態の写真撮影装置の概略構成を示す図である。
【図２】本実施形態の写真撮影装置に備わるカバー部を示す斜視図である。
【図３】カバー部を構成するカバー板を示す斜視図である。
【図４】図３の裏面側からみたカバー板を示す斜視図である。
【図５】カバー部を構成するカバー枠を示す斜視図である。
【図６】扉を開けた状態で扉の横側からみたカバー枠を示す図である。
【図７】カバー板をカバー枠から引き抜く途中を示す斜視図である。
【図８】扉を開けた状態のカバー枠付近を示す斜視図である。
【図９】従来の写真撮影装置の概略構成を示す図である。
【符号の説明】
【００３９】
１    写真撮影装置
２    壁
３    壁側嵌合部
４    カバー板貫通穴
１０    カバー部
２０    カバー板
２１    カバー板側嵌合部
２２    カバー板固定用錠
２３    本体板
３０    カバー枠
３１    鍵挿入用開口部
３２    カバー板用開口部
３３    ガイド部
１０６    投入口
１０７    扉
１０９    遮光カーテン
１１０    扉開閉用錠
Ｋ    鍵
【図１】
0004641917.tif 000002
【図２】
0004641917.tif 000003
【図３】
0004641917.tif 000004
【図４】
0004641917.tif 000005
【図５】
0004641917.tif 000006
【図６】
0004641917.tif 000007
【図７】
0004641917.tif 000008
【図８】
0004641917.tif 000009
【図９】
0004641917.tif 000010